(57)【要約】【課題】電子機器の機能穴における開口部の大きさの設計自由度を向上する。【解決手段】筺体１０２と、筺体１０２に設けられた機能穴１０１を開閉可能に取り付けられる蓋部１１０とを備え、筺体１０２が機能穴１０１の周縁に形成された凹部１０２ａを有し、蓋部１１０が機能穴１０１を閉鎖した状態で凹部１０２ａに受け入れられることにより機能穴１０１を密閉するパッキン１１４を有する。【選択図】図３
2011198960.tif 000002
【特許請求の範囲】
【請求項１】
筺体と、
前記筺体に設けられた機能穴を開閉可能に取り付けられる蓋部とを備え、
前記筺体が前記機能穴の周縁に形成された凹部を有し、前記蓋部が前記機能穴を閉鎖した状態で前記凹部に受け入れられることにより前記機能穴を密閉するパッキンを有することを特徴とする電子機器。
【請求項２】
前記蓋部は、
前記機能穴を覆うためのカバー部材と、
前記カバー部材を前記筺体に対して回動可能に取り付けるためのベース部材とを更に有し、
前記ベース部材は、前記機能穴に対応するサイズの枠体を有し、
前記パッキンは、前記枠体を内部から把持するように前記枠体の内部に嵌め込まれることを特徴とする請求項１に記載の電子機器。
【請求項３】
前記蓋部は、
前記ベース部材に固定され、前記カバー部材をスライド可能に保持する保持部材と、
前記カバー部材の先端に形成された爪部とを更に有し、
前記筺体は、前記爪部を係止して前記カバー部材の回動を規制する回動規制部を有し、
前記パッキンが前記凹部に受け入れられた状態で前記カバー部材をスライドさせることにより、前記爪部を前記回動規制部に係止可能であることを特徴とする請求項２に記載の電子機器。
【発明の詳細な説明】
【技術分野】
【０００１】
本発明は、電子機器に関し、特に電子機器の筺体に設けられた機能穴を密閉する蓋構造に関する。
【背景技術】
【０００２】
電子機器の筺体には、電池やメモリカード等の挿入及び取り外し等に用いるための種々の機能穴を設ける必要があり、防水・防塵仕様の電子機器においては、この機能穴を密閉するための蓋構造が必要となる。例えば、特許文献１には、電池蓋体に取り付けられた防水パッキン受けに防水パッキン（Ｏリングとも言う。）を巻き回し、これらを電池収納室の開口部よりも内方に侵入させて、開口部から下方に続く傾斜面（縦壁）との間でシール部を形成した蓋構造が開示されている。
【先行技術文献】
【特許文献】
【０００３】
【特許文献１】特開２００３−１４２８４１号公報
【発明の概要】
【発明が解決しようとする課題】
【０００４】
しかしながら、特許文献１に開示された技術では、シール部が開口部から内方に侵入した位置に形成されることになるため、侵入した分だけ電池が奥に配置されることとなり、挿入及び取り外しの際にユーザが指を挿入できるスペースを少なくとも確保する必要がある。このため、開口部を小さくすることができないという問題があった。
【０００５】
本発明は、上記課題に鑑みてなされたものであり、電子機器の機能穴における開口部の大きさの設計自由度を向上することを目的とする。
【課題を解決するための手段】
【０００６】
上記課題を解決するため、本発明に係る電子機器は、筺体と、前記筺体に設けられた機能穴を開閉可能に取り付けられる蓋部とを備え、前記筺体が前記機能穴の周縁に形成された凹部を有し、前記蓋部が前記機能穴を閉鎖した状態で前記凹部に受け入れられることにより前記機能穴を密閉するパッキンを有する。
【発明の効果】
【０００７】
本発明によれば、電子機器の機能穴における開口部の大きさの設計自由度を向上することができる。
【図面の簡単な説明】
【０００８】
【図１】本発明の第１の実施形態に係る電子機器１００を模式的に示す断面図である。
【図２】電子機器１００の蓋部１１０の分解斜視図である。
【図３】図２のＡ−Ａ線及びＢ−Ｂ線に沿った概略断面図である。
【図４】図３（ｂ）の凹部１０２ａ周辺の拡大断面図である。
【図５】蓋部１１０の動作手順を模式的に示す図である。
【図６】本発明の第２の実施形態に係る電子機器用ケース２００を模式的に示す断面図である。
【発明を実施するための形態】
【０００９】
＜第１の実施形態＞
図１は、本発明の第１の実施形態に係る電子機器１００を模式的に示す断面図である。図２は、電子機器１００の蓋部１１０の分解斜視図である。図３は、蓋部１１０を電子機器１００の筺体１０２に組み付けた際の図２のＡ−Ａ線及びＢ−Ｂ線に沿った概略断面図である。図４は、図３（ｂ）の凹部１０２ａ周辺の拡大断面図である。図５は、蓋部１１０の動作手順を模式的に示す図である。
【００１０】
電子機器１００は、防塵用又は防水用として用いられる。電子機器１００としては、本実施形態では、例えば、撮像装置としてのデジタルカメラを想定するが、デジタルビデオカメラや携帯電話等の他の電子機器であっても同様に本発明を適用することができる。
【００１１】
電子機器１００は、筺体１０２と、筺体１０２に設けられた機能穴１０１を開閉可能に取り付けられる蓋部１１０とを備える。本実施形態では、機能穴１０１が筺体１０２の底面に設けられ、蓋部１１０が筺体１０２の底面及び一側面に掛けて配設されるものとする。筺体１０２の一側面には、レンズ鏡筒１０５が設けられる。
【００１２】
筺体１０２は、機能穴１０１の周縁に形成された凹部１０２ａを有する。すなわち、凹部１０２ａは、機能穴１０１の周縁を囲むように連続的に形成される。筺体１０２は、電子機器１００の機能部品に加えて、消耗部品（電池等）や記憶部品（メモリカード等）を内部に収容する。このため、筺体１０２は、これらの部品の脱着のために複数の機能穴１０１を有している。機能穴１０１は、本実施形態では、例えば、メモリカードを収容するために用いられ、機能穴１０１の開口にはメモリカードを受け付けるメモリスロット１０３が設けられるものとする。
【００１３】
蓋部１１０は、機能穴１０１を覆うためのカバー部材１１１と、カバー部材１１１を筺体１０２に対して回動可能に取り付けるためのベース部材１１２と、ベース部材１１２に固定され、カバー部材１１１をスライド可能に保持する保持部材１１３と、機能穴１０１を閉鎖した状態で凹部１０２ａに受け入れられることにより機能穴１０１を密閉するパッキン１１４とを有する。
【００１４】
カバー部材１１１は、内方側に突出して断面Ｌ字状に形成されたレール部１１１ａと、カバー部材１１１のスライド範囲を所定範囲内に規制する規制部１１１ｂと、カバー部材１１１の回動中心から離間する側の端部に設けられた爪部１１１ｃとを有する。爪部１１１ｃは、カバー部材１１１のスライド方向と平行な方向に断面Ｌ字状に形成される。
【００１５】
保持部材１１３は、外方側に突出して断面Ｌ字状に形成されたレール部１１３ａと、カバー部材１１１のスライド範囲を所定範囲内に規制する規制部１１３ｂとを有する。保持部材１１３は、ベース部材１１２にネジ等で固定される。
【００１６】
カバー部材１１１は、カバー部材のレール部１１１ａと保持部材のレール部１１３ａとを互いに係止させることにより、爪部１１１ｃ及び回動規制部１３０が延びる方向にスライド可能に構成される。これにより、爪部１１１ｃを回動規制部１３０に係止させて回動を規制した係止状態（図５（ａ）参照）と、係止状態を解除して回動を可能とした解除状態（図５（ｂ）参照）とに移行することが可能となる。なお、上述の所定範囲とは、爪部１１１ｃが回動規制部１３０への係止状態と解除状態とに移行可能な範囲であるものとする。
【００１７】
筺体１０２は、爪部１１１ｃを係止して、カバー部材１１１の回動を規制するための回動規制部１３０を有する。蓋部１１０は、パッキン１１４が凹部１０２ａに受け入れられた状態でカバー部材１１１をスライドさせることにより、爪部１１１ｃを回動規制部１３０に係止可能である。
【００１８】
ベース部材１１２は、機能穴１０１に対応するサイズの枠体１１２ａと、筺体１０２に支持された軸体１０４を中心に枠体１１２ａを回動可能に支持するヒンジ部１１２ｂとを有する。枠体１１２ａは、機能穴１０１に対応して略環状又は略楕円状に形成される。枠体１１２ａ及びヒンジ部１１２ｂは、本実施形態では、樹脂材料により一体的に形成されるものとする。
【００１９】
パッキン１１４は、ゴム等の柔軟性のある材質で形成される。パッキン１１４は、ベース部材１１２の枠体１１２ａを内部から把持するように枠体１１２ａの内部に嵌め込まれる。パッキン１１４は、機能穴１０１が延びる方向から見て枠体１１２ａの内部空間の全域を覆っている。また、パッキン１１４は、その周縁で凹部１０２ａに嵌り込むように内方に延びており、その内方側端部において、断面半円状に側方に突出した突出部１１４ａを有する。突出部１１４ａの厚さは、凹部１０２ａの幅よりも大きい。凹部１０２ａは、その底部に近接するにつれて狭くなるように傾斜している。
水圧による内方荷重が蓋部１１０に負荷された際には、図４（ａ）で示すように、まず、突出部１１４ａが凹部１０２ａの側壁に押し付けられることにより、側壁との間（点１１４ｂ―１）でシールが行われる。そして、更に大きな内方荷重が蓋部１１０に負荷されると、図４（ｂ）で示すように、突出部１１４ａが更に側壁に押し付けられて潰されることにより、その分だけ凹部１０２ａの全域にパッキン１１４が充填される。これにより、点１１４ｂ−１だけでなく、点１１４ｂ−２、点１１４ｂ−３でもシールが行われることとなる。従って、水圧による内方荷重が大きくなるにつれてシール機能が強化されるため、機能穴１０１内部への水の浸入をより確実に防止することができる。
【００２０】
以上述べた通り、本実施形態によれば、凹部１０２ａを機能穴１０１の周縁に連続的に形成し、この凹部１０２ａに受け入れられるように、パッキン１１４に突出部１１４ａを形成したため、機能穴１０１の内部でシールを行う必要がなくなる。これにより、図５（ｃ）で示すように、機能穴１０１の開口からメモリスロット１０３を配設することができる。従って、メモリスロット１０３を介してメモリカードを脱着する際に、機能穴１０１の内方に指を挿入する必要がない、若しくはその距離を短くすることができるため、電子機器１００の機能穴１０１を小さくすることができる。これにより、電子機器１００における機能穴１０１の大きさの設計自由度を向上することができる。
【００２１】
なお、本実施形態では、蓋部１１０は、筺体１０２に設けられたベース部材１１２により、筺体１０２に対して回動可能に取り付けられる構成としたが、本発明は係る構成に限定されるものではなく、単にストラップや変形可能な弾性素材等で筺体に紐付けされた蓋部であっても、筺体が凹部を有し、蓋部が凹部に受け入れられるパッキンを有するものであれば本発明を適用することができる。
【００２２】
＜第２の実施形態＞
なお、本実施形態では、電子機器１００について述べたが、電子機器用ケース２００についても本発明を適用することができる。図６は、本発明の第２の実施形態に係る電子機器用ケース２００の断面図である。電子機器用ケース２００は、電子機器３００を密閉状態で収容する。電子機器用ケース２００は、第１の実施形態に係る電子機器１００と同様に、筺体２０２と、筺体２０２に設けられた機能穴２０１を開閉可能に取り付けられる蓋部２１０とを備える。電子機器３００の機能穴３０１の開口には、第１の実施形態と同様に、メモリスロット２０３が設けられる。電子機器３００は、防水仕様ではなく、開口を覆うカバーが設けられていないものとする。係る場合であっても、電子機器用ケース２００の開口からメモリスロット１０３までの間を近接させることができるため、電子機器用ケースの機能穴２０１の内方に指を挿入する距離を短くし、電子機器用ケースの機能穴２０１を小さくすることができる。これにより、電子機器用ケース２００における機能穴２０１の大きさの設計自由度を向上することができる。なお、本実施形態では、電子機器３００の機能穴２０１の開口にカバーが設けられていない場合を想定したが、カバーが設けられている場合であっても、カバーの開閉スペースを確保する分だけメモリスロット２０３と離間するが、本発明を適用することにより電子機器用ケースの機能穴２０１を小さくすることができるという同様の効果を得ることができる。
【図１】
2011198960.tif 000003
【図２】
2011198960.tif 000004
【図３】
2011198960.tif 000005
【図４】
2011198960.tif 000006
【図５】
2011198960.tif 000007
【図６】
2011198960.tif 000008